(57)【要約】【課題】  放熱部材を付加することなく、モータの温度上昇を防止する。【解決手段】  回転多面鏡８２を回転させるモータ９２は、基板８８に固定された固定子９４及び軸受け９６と、この軸受け９６に回転自在に支持された回転軸９８を軸として回転する回転子１００から構成される。ハウジング７６の下面には、ハウジング７６の下面を貫通し、例えば４つの位置決めリブ１０２が形成された嵌合孔（固定部）１０４が設けられている。この嵌合孔１０４は、回転軸９８が位置決めリブ１０２の内側面に嵌合した場合に、ハウジング７６の下面を貫通する貫通孔１０６が形成されるようになっている。また、ハウジング７６の下面には、上述した気流ガイド９０が形成されており、ハウジング７６の下面側の気流を貫通孔１０６近傍に案内するようにされている。【選択図】          図４
2006201441.tif 000002
【特許請求の範囲】
【請求項１】
回転軸を回転させるモータと、前記回転軸に固定されて回転しつつ、像担持体に静電潜像を書き込む光を反射する反射部材と、前記回転軸を回転自在に支持する軸受けと、この軸受けの外面の一部を露出させつつ固定する固定部と、を有することを特徴とする光書き込み装置。
【請求項２】
前記固定部は、前記軸受けの外面の一部を露出させる部分が空気流路になっていることを特徴と特徴とする請求項１記載の光書き込み装置。
【請求項３】
回転軸を回転させるモータと、前記回転軸に固定されて回転しつつ、像担持体に静電潜像を書き込む光を反射する反射部材と、前記回転軸を回転自在に支持する軸受けと、少なくとも前記反射部材を収容するハウジングと、このハウジングに設けられ、前記軸受けを固定する固定部とを有し、前記固定部は、前記軸受けの外面の一部を露出させつつ、前記ハウジングの内外を貫通させる貫通孔を有することを特徴とする光書き込み装置。
【請求項４】
前記ハウジングは、前記軸受けに気流を案内する気流ガイドを有することを特徴とする請求項３記載の光書き込み装置。
【請求項５】
像担持体と、この像担持体に静電潜像を書き込む光書き込み装置と、この光書き込み装置を支持する支持部材とを具備し、前記光書き込み装置は、回転軸を回転させるモータと、前記回転軸に固定されて回転しつつ、像担持体に静電潜像を書き込む光を反射する反射部材と、前記回転軸を回転自在に支持する軸受けと、少なくとも前記反射部材を収容するハウジングと、このハウジングに設けられ、前記軸受けを固定する固定部とを有し、前記固定部は、前記軸受けの外面の一部を露出させつつ、前記ハウジングの内外を貫通させる貫通孔を有し、前記支持部材は、前記光書き込み装置を支持する面を貫通する孔部を有することを特徴とする画像形成装置。
【請求項６】
前記支持部材は、前記貫通孔に気流を案内する気流ガイドを有することを特徴とする請求項５記載の画像形成装置。
【発明の詳細な説明】
【技術分野】
【０００１】
本発明は、プリンタ、複写機又はファクシミリ等の画像形成装置に関するものである。
【背景技術】
【０００２】
回転するポリゴンミラーに反射されたレーザ光によって感光体に静電潜像を形成し、静電潜像をトナーで現像することにより画像を形成する画像形成装置が知られている。
この種の画像形成装置において、ポリゴンミラーを回転させるモータの温度が上昇してしまうと、モータの寿命が短くなったり、ジッタが悪化してしまうという問題があった。そこで、ポリゴンミラーを回転させるモータの温度の上昇を防止するために、モータの近傍にファンを設けることは公知である（特許文献１参照）。また、ポリゴンミラーを回転させるモータを設けられたユニットの筐体などに放熱させるための放熱部材を設けて、モータの温度の上昇を防止することは公知である（特許文献２〜６参照）。
【０００３】
【特許文献１】特開２００３−０９０９７６号公報
【特許文献２】特開２００３−２１５４９０号公報
【特許文献３】特開平１１−０８４２９５号公報
【特許文献４】特開平１１−２７１６６２号公報
【特許文献５】特開平１１−２４２１７７号公報
【特許文献６】特開平１１−０８４２９９号公報
【発明の開示】
【発明が解決しようとする課題】
【０００４】
しかしながら、上記従来例においては、放熱させるための放熱部材、又は、冷却するためのファンなどを付加することによってモータの温度の上昇を防止しているので、コストが高くなり、組立て性が低下するという問題があった。
【０００５】
そこで、本発明は、放熱部材を付加することなく、モータの温度上昇を防止することができる光書き込み装置及び画像形成装置を提供することを目的とする。
【課題を解決するための手段】
【０００６】
上記目的を達成するため、本発明の第１の特徴とするところは、回転軸を回転させるモータと、前記回転軸に固定されて回転しつつ、像担持体に静電潜像を書き込む光を反射する反射部材と、前記回転軸を回転自在に支持する軸受けと、この軸受けの外面の一部を露出させつつ固定する固定部と、を有する光書き込み装置にある。したがって、露出した軸受けの外面の一部から放熱することができるので、放熱部材を付加することなく、モータの温度上昇を防止することができる。
【０００７】
好適には、前記固定部は、前記軸受けの外面の一部を露出させる部分が空気流路になっている。したがって、軸受けからの放熱を効率よくすることができる。
【０００８】
また、好適には、回転軸を回転させるモータと、前記回転軸に固定されて回転しつつ、像担持体に静電潜像を書き込む光を反射する反射部材と、前記回転軸を回転自在に支持する軸受けと、少なくとも前記反射部材を収容するハウジングと、このハウジングに設けられ、前記軸受けを固定する固定部とを有し、前記固定部は、前記軸受けの外面の一部を露出させつつ、前記ハウジングの内外を貫通させる貫通孔を有する。したがって、ハウジングの内外の空気を通じさせることができるので、軸受けからの放熱を効率よくすることができる。
【０００９】
また、好適には、前記ハウジングは、前記軸受けに気流を案内する気流ガイドを有する。したがって、軸受けに気流を案内することができるので、軸受けからの放熱を効率よくすることができる。
【００１０】
また、本発明の第２の特徴とするところは、像担持体と、この像担持体に静電潜像を書き込む光書き込み装置と、この光書き込み装置を支持する支持部材とを具備し、前記光書き込み装置は、回転軸を回転させるモータと、前記回転軸に固定されて回転しつつ、像担持体に静電潜像を書き込む光を反射する反射部材と、前記回転軸を回転自在に支持する軸受けと、少なくとも前記反射部材を収容するハウジングと、このハウジングに設けられ、前記軸受けを固定する固定部とを有し、前記固定部は、前記軸受けの外面の一部を露出させつつ、前記ハウジングの内外を貫通させる貫通孔を有し、前記支持部材は、前記光書き込み装置を支持する面を貫通する孔部を有する画像形成装置にある。したがって、貫通孔と孔部とにより空気流路が形成されるので、軸受けからの放熱を効率よくすることができる。
【００１１】
好適には、前記支持部材は、前記貫通孔に気流を案内する気流ガイドを有する。したがって、軸受けに気流を案内することができるので、軸受けからの放熱を効率よくすることができる。
【発明の効果】
【００１２】
本発明によれば、放熱部材を付加することなく、モータの温度上昇を防止することができる。
【発明を実施するための最良の形態】
【００１３】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の給紙ユニット１８，１８が配置されている。さらに、画像形成装置本体１２の下方には、オプションとして複数の給紙ユニットが配置できるようにしてある。
【００１４】
それぞれの給紙ユニット１８は、給紙ユニット本体２０と、用紙が収納される給紙カセット２２とを有する。給紙カセット２２の奥端近傍上部にはピックアップロール２４が配置され、このピックアップロール２４の後方にリタードロール２６及びフィードロール２８が配置されている。
【００１５】
主搬送路３２は、フィードロール２８から排出口３４までの用紙通路であり、この主搬送路３２は、画像形成装置本体１２の裏側（図１の左側面）近傍にあって、最下端の給紙ユニット１８から後述する定着装置３６まで略鉛直に形成されている部分を有する。この主搬送路３２の定着装置３６の上流側に後述する転写装置４２と像担持体４４が配置され、さらに転写装置４２と像担持体４４の上流側にレジストロール３８が配置されている。さらに、主搬送路３２の排出口３４の近傍には排出ロール４０が配置されている。
【００１６】
したがって、給紙ユニット１８の給紙カセット２２からピックアップロール２４により送り出された用紙は、リタードロール２６及びフィードロール２８の協働により捌かれて最上部の用紙のみ主搬送路３２に導かれ、レジストロール３８により一時停止され、タイミングをとって後述する転写装置４２と像担持体４４との間を通って現像剤像が転写され、この転写された現像剤像が定着装置３６により定着され、排出ロール４０により排出口３４から排出部１６へ排出される。
【００１７】
ただし、両面印刷の場合は、反転路に戻される。即ち、主搬送路３２の排出ロール４０の手前は二股に分かれ、その分かれた部分に切換装置４６が設けられていると共に、分けられた部分からレジストロール３８まで戻る反転路４８が形成されている。この反転路４８には搬送ロール５０ａ〜５０ｃが設けられており、両面印刷の場合には、切換装置４６が反転路４８を開く側に切り換えられ、排出ロール４０に用紙の後端手前がかかる時点で排出ロール４０が反転し、用紙が反転路４８に導かれ、レジストロール３８、転写装置４２と像担持体４４及び定着装置３６を通って排出口３４から排出部１６へ排出されるものである。
【００１８】
排出部１６は、画像形成装置本体１２に対して回動自在の傾斜部５２を有する。この傾斜部５２は、排出口部分が低く、正面方向（図１の右方向）に向けて徐々に高くなるよう傾斜しており、排出口部分を下端とし、高くなった先端を上端としている。この傾斜部５２は下端を中心に回動自在であるよう画像形成装置本体１２に支持されている。図１で２点鎖線で示すように、傾斜部５２を上方に回転して開いたときには、開放部５４が形成され、この開放部５４を介して後述するプロセスカートリッジ６４が脱着できるようにしてある。
【００１９】
像形成手段１４は、例えば電子写真方式のもので、感光体からなる像担持体４４と、この像担持体４４を一様帯電する例えば帯電ロールからなる帯電装置５６と、帯電装置５６により帯電された像担持体４４に、光により潜像を書き込む光書込み装置５８と、この光書込み装置５８により形成された像担持体４４の潜像を現像剤により可視化する現像機６０と、この現像機６０による現像剤像を用紙に転写する例えば転写ロールからなる転写装置４２と、像担持体４４に残存する現像剤をクリーニングする例えばブレードからなるクリーニング装置６２と、転写装置４２により転写された用紙上の現像剤像を用紙に定着させる定着装置３６とから構成されている。定着装置３６の裏側（図１の左側）近傍には、排気ファン６４が配置されている。この排気ファン６４は、画像形成装置本体１２内に例えば正面側（図１の右側）から裏側に流れる気流を生じさせ、定着装置３６などによって上昇した空気を画像形成装置本体１２の裏面側に設けられた排気孔６６から排気する。
【００２０】
プロセスカートリッジ６８は、像担持体４４、帯電装置５６、現像機６０及びクリーニング装置６２を一体化したものである。このプロセスカートリッジ６８は、排出部１６の傾斜部５２に直近下方に配置されており、前述したように、傾斜部５２を開いたときに形成される開放部５４を介して着脱される。
【００２１】
光書込み装置５８は例えば後述する回転多面鏡８２を含む走査型のレーザ露光装置からなり、下面に後述する気流ガイド９０が設けられて、画像形成装置本体１２の正面側に設けられた平板状の支持部材７０の上面に配置されている。また、光書込み装置５８は現像機６０内を横切って像担持体４４を露光するようにされており、像担持体４４の露光位置が潜像書込み位置Ｐとなる。支持部材７０には、光書込み装置５８の回転多面鏡８２の下方近傍に光書込み装置５８を支持する面を貫通する孔部７２が設けられており、支持部材７０の例えば下面には、孔部７２に向けて画像形成装置本体１２内の空気流を案内する気流ガイド７４が設けられている。
【００２２】
次に光書込み装置５８について説明する。
図２において、光書込み装置５８の概要が示されている。光書込み装置５８には、ハウジング７６内にレーザ光を発するレーザ光源７８が設けられている。レーザ光源７８が発するレーザ光は、コリメータレンズ８０によって平行光にされ、回転多面鏡８２によって反射される。回転多面鏡８２は、例えば６つの偏向面（鏡面）を有し、後述するモータ９２の回転軸９８に固定されて、所定の等角速度で回転しつつ、コリメータレンズ８０によって平行光にされたレーザ光をｆθレンズ８４に向けて反射する。回転多面鏡８２によって反射されたレーザ光は、ｆθレンズ８４を透過することにより、像担持体４４上のイメージエリアを主走査方向に略等速度で走査するようにされている。
なお、回転多面鏡８２は、ネジなどの固定部材８６によってハウジング７６に固定される基板８８を介し、ハウジング７６に取り付けられている。
【００２３】
図３において、光書込み装置５８の下面が示されている。光書込み装置５８は、ハウジング７６の下面から下方に向けて気流ガイド９０が形成されており、この気流ガイド９０は画像形成装置本体１２内の空気流を回転多面鏡８２の下方近傍に向けて案内する。
【００２４】
次に、回転多面鏡８２を回転させるモータ９２について説明する。
図４は、回転多面鏡８２を回転させるモータ９２及びその周辺を示す図であって、（Ａ）はモータ９２及びその周辺を示す断面図であり、（Ｂ）はハウジング７６に形成された嵌合孔１０４の形状を示すａ−ａ線断面図である。
図４（Ａ）に示すように、モータ９２は、基板８８に固定された固定子（ステータ）９４及び軸受け９６と、この軸受け９６に回転自在に支持された回転軸９８を軸として回転する回転子（ロータ）１００から構成される。回転子１００の上面には、回転軸９８に固定された回転多面鏡８２が設けられており、この回転多面鏡８２は、回転軸９８を軸として回転するようにされている。
【００２５】
ハウジング７６の下面には、ハウジング７６の下面を貫通し、例えば４つの位置決めリブ１０２が形成された嵌合孔（固定部）１０４が設けられている。この嵌合孔１０４は、軸受け９６が位置決めリブ１０２の内側面に嵌合した場合に、ハウジング７６の下面を貫通する貫通孔１０６が形成されるようになっている。また、ハウジング７６の下面には、上述した気流ガイド９０が形成されており、ハウジング７６の下面側の気流を貫通孔１０６近傍に案内するようにされている。
つまり、画像形成装置本体１２内には、貫通孔１０６から気流ガイド９０、孔部７２及び気流ガイド７４を通って排気口６６に続く空気通路１０８が形成される。
このように、モータ９２は、軸受け９６を冷却するためのファン、又は、熱を放熱させるためのフィンなどを軸受け９６に取り付けられることなく、例えば排気ファン６４などにより発生する気流など、画像形成装置本体１２内の空気によって温度を下げられる。
なお、画像形成装置１０は、排気ファン６４が設けられていない構成であってもよい。
【００２６】
次に上記実施形態の作用について説明する。
画像形成信号が送られると、像担持体４４が帯電装置５６により一様に帯電され、この帯電された像担持体４４には、画像信号に基づいて、レーザ光源７８が発したレーザ光がモータ９２の回転によって回転する回転多面鏡８２に反射され、像担持体４４に静電潜像が形成される。ここで、モータ９２の回転によって軸受け９６に生じた熱は、貫通孔１０６内の空気により冷却される。また、画像形成装置本体１２内には、排気ファン６４によって正面側から裏面側に向けて気流が生じている。つまり、貫通孔１０６内の空気の空気は、画像形成装置本体１２内に生じた気流により、排気口６６から排気されている。
光書込み装置５８により形成された像担持体４４の静電潜像は現像機６０の現像剤により可視化される。
【００２７】
一方、サイズ信号等により給紙ユニット１８のいずれか一つが選択され、給紙カセット２２の一つに収納された用紙は、ピックアップロール２４により送り出され、リタードロール２６及びフィードロール２８により捌かれて主搬送路３２に導かれ、レジストロール３８により一時停止され、タイミングをとって転写装置４２と像担持体４４との間に導かれる。用紙が転写装置４２と像担持体４４との間に導かれると、像担持体４４上の現像剤が転写装置４２により用紙に転写される。
【００２８】
現像剤を転写された用紙は、定着装置３６に導かれ、熱圧力によって現像剤を定着される。現像剤が定着した用紙は、排出ロール４０により排出口３４から排出部１６へ排出される。ただし、両面印刷の場合は、反転路に戻され、再びレジストロール３８、転写装置４２と像担持体４４及び定着装置３６を通って排出口３４から排出部１６へ排出される。
【００２９】
次に、ハウジング７６に形成される嵌合孔１０４の変形例について説明する。
図５は、ハウジング７６に形成される嵌合孔の変形例を示す断面図である。
図５（Ａ）に示すように、嵌合孔１０４は断面が三角形に形成され、軸受け９６が嵌合した場合に３つの貫通孔１０６が形成されるように設けられてもよい。また、図５（Ｂ）に示すように、嵌合孔１０４は断面が四角形に形成され、軸受け９６が嵌合した場合に４つの貫通孔１０６が形成されるように設けられてもよい。
【図面の簡単な説明】
【００３０】
【図１】本発明の実施形態に係る画像形成装置の概要を示す側面図である。
【図２】光書込み装置の概要を示す斜視図である。
【図３】光書込み装置を下側から見た下面図である。
【図４】回転多面鏡を回転させるモータ及びその周辺を示す図であって、（Ａ）はモータ及びその周辺を示す断面図であり、（Ｂ）はハウジングに形成された嵌合孔の形状を示すａ−ａ線断面図である。
【図５】ハウジングに形成される嵌合孔の変形例を示す断面図である。
【符号の説明】
【００３１】
１０    画像形成装置
１２    画像形成装置本体
４４    像担持体
５８    光書込み装置
６４    排気ファン
６６    排気口
７０    支持部材
７２    孔部
７４    気流ガイド
７６    ハウジング
７８    レーザ光源
８２    回転多面鏡
９０    気流ガイド
９２    モータ
９４    固定子
９６    軸受け
９８    回転軸
１００    回転子
１０２    位置決めリブ
１０４    嵌合孔
１０６    貫通孔
１０８    空気通路
【図１】
2006201441.tif 000003
【図２】
2006201441.tif 000004
【図３】
2006201441.tif 000005
【図４】
2006201441.tif 000006
【図５】
2006201441.tif 000007